(57)【要約】【課題】協働して行う健診作業を円滑に行わせることができる作業者選択方法、作業者選択プログラム及び作業者選択装置を提供することを目的とする。【解決手段】ある健診作業を協働して行う作業者群を決定する場合に、第１のカテゴリに属する第１の作業者が選択されると、選択された該第１の作業者が入力した第２のカテゴリに属する作業者の評価結果を、前記第１のカテゴリに属する作業者による前記第２のカテゴリに属する作業者についての評価結果が記憶された記憶部から抽出し、前記抽出した評価結果の内、評価結果の高い前記第２のカテゴリに属する作業者を前記ある健診作業を協働して行う作業者の候補として出力する制御を行う。【選択図】図１５
2015102907.tif 000002
【特許請求の範囲】
【請求項１】
第１のカテゴリに属する作業者のいずれかと第２のカテゴリに属する作業者のいずれかとにより協働して行われる健診作業の作業者選択方法であって、
ある健診作業を協働して行う作業者群を決定する場合に、前記第１のカテゴリに属する第１の作業者が選択されると、選択された該第１の作業者が入力した第２のカテゴリに属する作業者の評価結果を、前記第１のカテゴリに属する作業者による前記第２のカテゴリに属する作業者についての評価結果が記憶された記憶部から抽出し、
前記抽出した評価結果の内、評価結果の高い前記第２のカテゴリに属する作業者を前記ある健診作業を協働して行う作業者の候補として出力する制御を行う
ことを特徴とする作業者選択方法。
【請求項２】
協働して行われる健診作業の作業者選択方法であって、
第１のカテゴリに属する第１の作業者から、該第１の作業者と協働して健診作業を行う作業者として選択された、第２のカテゴリに属する複数の作業者のそれぞれについての、作業に関する評価の入力を受け付け、
入力された該複数の作業者のそれぞれについての作業に関する評価の結果を記憶部に記憶し、
ある健診作業の作業者として前記第１の作業者が選択される場合に、該ある健診作業を協働して行う他の健診作業者の選択制御において選択された前記他の健診作業者に対する、該ある健診作業の作業者として選択された前記第１の作業者による評価結果が示す指標値に基づき、前記第１の作業者を変更するか否かを判断する、
ことを特徴とする作業者選択方法。
【請求項３】
前記選択された前記他の健診作業者に対する評価結果が示す指標値が所定閾値よりも低い作業者が前記第１の作業者に含まれるとき、
前記第１のカテゴリに属し、且つ前記第１の作業者に含まれない作業者のうち、前記選択された前記他の健診作業者に対する評価結果を示す指標値が最も高い作業者を、前記指標値が前記所定閾値よりも低い作業者と入れ替える候補に選択する、
ことを特徴とする請求項２記載の作業者選択方法。
【請求項４】
前記指標値が前記所定閾値よりも低い作業者と、前記入れ替える候補に選択された作業者とを入れ替え、
入れ替え後の前記第１の作業者による前記他の健診作業者に対する評価結果が示す指標値を算出し、
算出された前記評価結果が示す指標値が前記所定閾値以上であったとき、前記入れ替える候補に選択された作業者の情報と、作業者の入れ替えにより前記評価結果が示す指標値が前記所定閾値以上となることを示す情報と、を出力する、
ことを特徴とする請求項３記載の作業者選択方法。
【請求項５】
算出された前記評価結果が示す指標値が前記所定閾値未満であったとき、
前記入れ替える候補に選択された作業者の情報と、作業者の入れ替え後も前記評価結果を示す値が前記所定閾値未満であることを示す情報と、を出力する、
ことを特徴とする請求項４記載の作業者選択方法。
【請求項６】
第１のカテゴリに属する第１の作業者から、該第１の作業者と協働して健診作業を行う作業者として選択された、第２のカテゴリに属する複数の作業者のそれぞれについての、作業に関する評価の入力を受け付ける処理と、
入力された該複数の作業者のそれぞれについての作業に関する評価の結果を記憶部に記憶する処理と、
ある健診作業の作業者として前記第１の作業者が選択される場合に、該ある健診作業を協働して行う他の健診作業者の選択制御において選択された前記他の健診作業者に対する、該ある健診作業の作業者として選択された前記第１の作業者による評価結果が示す指標値に基づき、前記第１の作業者を変更するか否かを判断する処理と、をコンピュータに実行させることを特徴とする作業者選択プログラム。
【請求項７】
第１のカテゴリに属する第１の作業者から、該第１の作業者と協働して健診作業を行う作業者として選択された、第２のカテゴリに属する複数の作業者のそれぞれについての、作業に関する評価の入力を受け付ける受付部と、
入力された該複数の作業者のそれぞれについての作業に関する評価の結果を記憶部に記憶する記憶部と、
ある健診作業の作業者として前記第１の作業者が選択される場合に、該ある健診作業を協働して行う他の健診作業者の選択制御において選択された前記他の健診作業者に対する、該ある健診作業の作業者として選択された前記第１の作業者による評価結果が示す指標値に基づき、前記第１の作業者を変更するか否かを判断する判断部と、を有する作業者選択装置。
【請求項８】
ある健診作業を協働して行う作業者群を決定する場合に、第１のカテゴリに属する第１の作業者が選択されると、選択された該第１の作業者が入力した第２のカテゴリに属する作業者の評価結果を、前記第１のカテゴリに属する作業者による前記第２のカテゴリに属する作業者についての評価結果が記憶された記憶部から抽出する処理と、
前記抽出した評価結果の内、評価結果の高い前記第２のカテゴリに属する作業者を前記ある健診作業を協働して行う作業者の候補として出力する制御を行う処理と、をコンピュータに実行させることを特徴とする作業者選択プログラム。
【請求項９】
ある健診作業を協働して行う作業者群を決定する場合に、第１のカテゴリに属する第１の作業者が選択されると、選択された該第１の作業者が入力した第２のカテゴリに属する作業者の評価結果を、前記第１のカテゴリに属する作業者による前記第２のカテゴリに属する作業者についての評価結果が記憶された記憶部から抽出する抽出部と、
前記抽出した評価結果の内、評価結果の高い前記第２のカテゴリに属する作業者を前記ある健診作業を協働して行う作業者の候補として出力する制御を行う制御部と、
を有することを特徴とする作業者選択装置。
【発明の詳細な説明】
【技術分野】
【０００１】
本発明は、作業者選択方法、作業者選択プログラム及び作業者選択装置に関する。
【背景技術】
【０００２】
従来から、企業等の団体から委託を受けて受診者の巡回健康診断（以下、巡回健診）を行う健診実施機関がある。健診実施機関は、巡回健診を実施する際、予め決められた会場に健診用車両や健診を実施するスタッフ等を派遣する。
【０００３】
また健診実施機関は、巡回健診を実施する会場が健診実施機関の所在地から遠く離れた遠地であった場合には、会場がある地区に在住している現地スタッフを採用して健診を実施することもある。健診実施機関は、例えば過去に巡回健診を実施した際の健診実施機関のスタッフによる評価に基づき、現地スタッフを採用する。
【先行技術文献】
【特許文献】
【０００４】
【特許文献１】特開２００３−２８１３２５号公報
【特許文献２】特開２００４−２５２８３２号公報
【発明の概要】
【発明が解決しようとする課題】
【０００５】
ところで巡回健診における健診作業は、複数人のスタッフからなるチームにより実施される。よって健診作業を円滑に実施するためには、健診実施機関のスタッフと現地スタッフとの人間関係が良好であることが好ましいが、従来では健診作業に関する評価に基づき採用する現地スタッフが選択されており、人間関係が考慮されているとは言えない。
【０００６】
１つの側面では、協働して行う健診作業を円滑に行わせることができる作業者選択方法、作業者選択プログラム及び作業者選択装置を提供することを目的とする。
【課題を解決するための手段】
【０００７】
開示の技術は、第１のカテゴリに属する作業者のいずれかと第２のカテゴリに属する作業者のいずれかとにより協働して行われる健診作業の作業者選択方法であって、ある健診作業を協働して行う作業者群を決定する場合に、前記第１のカテゴリに属する第１の作業者が選択されると、選択された該第１の作業者が入力した第２のカテゴリに属する作業者の評価結果を、前記第１のカテゴリに属する作業者による前記第２のカテゴリに属する作業者についての評価結果が記憶された記憶部から抽出し、前記抽出した評価結果の内、評価結果の高い前記第２のカテゴリに属する作業者を前記ある健診作業を協働して行う作業者の候補として出力する制御を行う。
【０００８】
上記各手順は、上記各処理を実現する機能部、上記各処理をコンピュータに実行させるプログラム、このプログラムを記憶したコンピュータ読み取り可能な記憶媒体とすることもできる。
【発明の効果】
【０００９】
協働して行う健診作業を円滑に行わせることができる
【図面の簡単な説明】
【００１０】
【図１】作業者選択システムのシステム構成の一例を示す図である。
【図２】作業者選択サーバのハードウェア構成の一例の示す図である。
【図３】施設スタッフデータベースの一例を示す図である。
【図４】班データベースの一例を示す図である。
【図５】班スタッフ管理データベースの一例を示す図である。
【図６】会場データベースの一例を示す図である。
【図７】地区データベースの一例を示す図である。
【図８】現地スタッフデータベースの一例を示す図である。
【図９】巡回スタッフ計画データベースの一例を示す図である。
【図１０】スタッフ評価データベースの一例を示す図である。
【図１１】巡回計画データベースの一例を示す図である。
【図１２】作業者選択サーバの機能を説明する図である。
【図１３】入力画面の一例を示す図である。
【図１４】作業者選択サーバの動作を説明する第一のフローチャートである。
【図１５】作業者選択サーバの動作を説明する第二のフローチャートである。
【図１６】確認画面の例を示す第一の図である。
【図１７】確認画面の例を示す第二の図である。
【図１８】確認画面の例を示す第三の図である。
【図１９】確認画面の例を示す第四の図である。
【図２０】確認画面の例を示す第五の図である。
【発明を実施するための形態】
【００１１】
以下に図面を参照して第一の実施例について説明する。図１は、作業者選択システムのシステム構成の一例を示す図である。
【００１２】
本実施例の作業者選択システム１００は、作業者選択サーバ２００と端末装置３００とが、ネットワークＮを介してデータ通信可能に接続されて構成されている。
【００１３】
本実施例の作業者選択システム１００は、健診実施機関が例えば遠地等で巡回健康診断（以下、巡回健診）を実施する際に、巡回健診が実施される地域に在住しているスタッフ（以下、現地スタッフ）の選択を支援する。
【００１４】
尚巡回健診とは、医師、放射線技師、看護師、検査技師や検査助手等のスタッフが、健診に用いる機材等を搭載した健診車で健診実施会場を訪問し定期健康診断を行うことである。健診実施機関とは、企業等の団体から委託を受けて巡回健診を実施する機関である。
【００１５】
本実施例の作業者選択サーバ２００は、作業者選択プログラム２１０がインストールされている。本実施例の作業者選択サーバ２００は、例えば端末装置３００等から現地スタッフの選択指示を受けると、作業者選択プログラム２１０を実行した結果を端末装置３００へ出力する。
【００１６】
また本実施例の作業者選択サーバ２００は、施設スタッフデータベース２２１、班データベース２２２、班スタッフ管理データベース２２３、会場データベース２２４、地区データベース２２５を有する。また本実施例の作業者選択サーバ２００は、現地スタッフデータベース２２６、巡回スタッフ計画データベース２２７、スタッフ評価データベース２２８、巡回計画データベース２２９を有する。上記各データベースの詳細は後述する。また本実施例の作業者選択サーバ２００には、記憶領域２３０に後述する評価の基準となる評価点閾値が格納されている。
【００１７】
また図１の説明では、作業者選択サーバ２００において作業者選択プログラム２１０を実行した結果を端末装置３００へ出力するものとしたが、これに限定されない。本実施例の作業者選択サーバ２００は、作業者選択プログラム２１０を実行した結果を作業者選択サーバ２００が有するディスプレイ等の表示装置に表示させても良い。
【００１８】
図２は、作業者選択サーバのハードウェア構成の一例の示す図である。
【００１９】
作業者選択サーバ２００は、それぞれバスＢで相互に接続されている入力装置２１，出力装置２２、ドライブ装置２３、補助記憶装置２４、メモリ装置２５、演算処理装置２６及びインターフェース装置２７を含む。
【００２０】
入力装置２１はキーボードやマウス等を含み、各種信号を入力するために用いられる。出力装置２２はディスプレイ装置等を含み、各種ウインドウやデータ等を表示するために用いられる。インターフェース装置２７は、モデム，ＬＡＮカード等を含み、ネットワークＮに接続する為に用いられる。
【００２１】
作業者選択プログラムは、作業者選択サーバ２００を制御する各種プログラムの少なくとも一部である。作業者選択プログラムは例えば記録媒体２８の配布やネットワークからのダウンロードなどによって提供される。作業者選択プログラムを記録した記録媒体２８は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００２２】
また、作業者選択プログラムは、作業者選択プログラムを記録した記録媒体２８がドライブ装置２３にセットされるとは記録媒体２８からドライブ装置２３を介して補助記憶装置２４にインストールされる。ネットワークからダウンロードされた作業者選択プログラムは、インターフェース装置２７を介して補助記憶装置２４にインストールされる。
【００２３】
補助記憶装置２４は、インストールされた作業者選択プログラムを格納すると共に、必要なファイル、データ等を格納する。メモリ装置２５は、コンピュータの起動時に補助記憶装置２４から作業者選択プログラムを読み出して格納する。そして、演算処理装置２６はメモリ装置２５に格納された作業者選択プログラムに従って、後述するような各種処理を実現している。
【００２４】
本実施例の端末装置３００は、作業者選択サーバ２００と同様のハードウェア構成を有するコンピュータであるから説明を省略する。尚本実施例の端末装置３００は、例えばタブレット型のコンピュータであっても良い。また本実施例の端末装置３００は、例えばスマートフォンを含む多機能の携帯電話であっても良い。
【００２５】
次に図３乃至図１１を参照し、作業者選択サーバ２００の有する各データベースについて説明する。作業者選択サーバ２００の有する各データベース及び評価点閾値は、例えば補助記憶装置２４やメモリ装置２５の所定の記憶領域に格納されていても良い。また本実施例の各データベース及び評価点閾値は、作業者選択システム１００の管理者等により、予め作業者選択サーバ２００に格納されている。
【００２６】
図３は、施設スタッフデータベースの一例を示す図である。
【００２７】
本実施例の施設スタッフデータベース２２１は、現地スタッフと協働して健診作業を実施するスタッフに関する情報が格納されている。現地スタッフと協働して健診作業を実施するスタッフとは、健診実施機関に属し、現地スタッフの評価を行うスタッフである。以下の説明では、現地スタッフと協働して健診作業を実施するスタッフを施設スタッフと呼ぶ。すなわち本実施例では、第一のカテゴリである施設スタッフと、第二のカテゴリである現地スタッフとが協働して巡回健診を実施する。
【００２８】
本実施例の施設スタッフデータベース２２１は、情報の項目として、施設スタッフ毎に付与された施設スタッフコード、施設スタッフ名、施設スタッフの職種を有し、スタッフコードに施設スタッフ名と施設スタッフの職種とが対応付けられている。以下の説明では、スタッフコードに対応付けられた情報を施設スタッフデータベース２２１における１レコードと呼ぶ。
【００２９】
尚図３に示す施設スタッフデータベース２２１では、施設スタッフの職種を医師、看護師、レントゲン技師、保健師としたが、これに限定されない。施設スタッフの職種は、上記以外にも、例えば事務等があっても良い。
【００３０】
図４は、班データベースの一例を示す図である。
【００３１】
本実施例の班データベース２２２は、施設スタッフを班に分けた際の各班に関する情報が格納されている。本実施例では、例えば施設スタッフデータベース２２１に格納されている施設スタッフを班に分け、班毎に巡回健診の実施会場に移動して健診作業を行う。
【００３２】
班データベース２２２は、情報の項目として、班毎に付与される班コードと、有効期間と、班名とを有し、班コードに有効期間と班名とが対応付けられている。班データベース２２２における有効期間とは、班分けが有効とされる期間である。例えば図４の例では、班コードＡ０１のＡ班の有効期間は２０１２／４／１〜２０１２／４／３０となっている。この場合Ａ班の施設スタッフは、２０１２／４／１〜２０１２／４／３０の期間はＡ班として健診作業を実施することを示す。以下の説明では、班コードに対応付けられた情報を班データベース２２２における１レコードと呼ぶ。
【００３３】
図５は、班スタッフ管理データベースの一例を示す図である。
【００３４】
本実施例の班スタッフ管理データベース２２３は、各班に所属するスタッフの情報が格納されている。班スタッフ管理データベース２２３は、情報の項目として、班コードと、施設スタッフコードと、施設スタッフ名とを有し、班コードに施設スタッフコードと施設スタッフ名とが対応付けられている。以下の説明では、班コードに対応付けられた情報を班スタッフ管理データベース２２３における１レコードと呼ぶ。また本実施例の班スタッフ管理データベース２２３は、班毎に設けられる。
【００３５】
図６は、会場データベースの一例を示す図である。
【００３６】
本実施例の会場データベース２２４は、巡回健診を実施する会場に関する情報が格納されている。本実施例の会場データベース２２４は、情報の項目として、会場毎に付与された会場コードと、会場名と、会場が属する地区の地区コードとを有し、会場コードに会場名と地区コードとが対応付けられている。以下の説明では、会場コードに対応付けられた情報を会場データベース２２４における１レコードと呼ぶ。
【００３７】
図７は、地区データベースの一例を示す図である。
【００３８】
本実施例の地区データベース２２５は、情報の項目として、地区毎に付与された地区コードと、地区名とを有し、地区コードに地区名が対応付けられている。以下の説明では、地区コードに対応付けられた情報を地区データベース２２５における１レコードと呼ぶ。
【００３９】
図８は、現地スタッフデータベースの一例を示す図である。
【００４０】
本実施例の現地スタッフデータベース２２６は、情報の項目として、現地スタッフ毎に割れ振られた現地スタッフコード、現地スタッフ名、現地スタッフの職種、地区コード、勤務可能期間、勤務可能時間を有する。現地スタッフデータベース２２６では、現地スタッフコードに、その他の各項目が対応付けられている。以下の説明では、現地スタッフコードに対応付けられた情報を現地スタッフデータベース２２６における１レコードと呼ぶ。
【００４１】
尚図８に示す現地スタッフデータベース２２６では、現地スタッフの職種を看護師としたが、これに限定されない。現地スタッフの職種は、看護師以外にも、例えば事務等があっても良い。
【００４２】
図９は、巡回スタッフ計画データベースの一例を示す図である。
【００４３】
本実施例の巡回スタッフ計画データベース２２７は、巡回健診の実施に関する情報が格納されている。本実施例の巡回スタッフ計画データベース２２７は、情報の項目として、健診予定日、予定時刻、会場コード、班コード、職種毎の現地スタッフ採用人数を有し、健診予定日にその他の項目が対応付けられている。以下の説明では、健診予定日に対応付けられた情報を巡回スタッフ計画データベース２２７における１レコードと呼ぶ。
【００４４】
図１０は、スタッフ評価データベースの一例を示す図である。
【００４５】
本実施例のスタッフ評価データベース２２８は、施設スタッフによる現地スタッフの評価に関する情報が格納されている。本実施例のスタッフ評価データベース２２８は、情報の項目として、施設スタッフコード、現地スタッフコード、施設スタッフによる現地スタッフの評価点、評価回数を有する。本実施例の評価点は、現地スタッフの評価を示す指標値である。スタッフ評価データベース２２８では、施設スタッフコードにその他の項目が対応付けられている。以下の説明では、施設スタッフコードに対応付けられた情報をスタッフ評価データベース２２８における１レコードと呼ぶ。
【００４６】
図１１は、巡回計画データベースの一例を示す図である。
【００４７】
本実施例の巡回計画データベース２２９は、巡回健診に関する情報が格納されている。巡回計画データベース２２９は、情報の項目として、巡回健診が実施される健診日、会場コード、スタッフコード、スタッフ区分、警告内容を有し、健診日に他の項目が対応付けられている。以下の説明では、健診日に対応付けられた情報を巡回計画データベース２２９における１レコードと呼ぶ。
【００４８】
本実施例の巡回計画データベース２２９におけるスタッフコードは、図３で示す施設スタッフコードと、現地スタッフコードとを含む。巡回計画データベース２２９におけるスタッフ区分とは、スタッフコードにより特定されるスタッフが、施設スタッフであるか、現地スタッフであるかを示す。
【００４９】
巡回計画データベース２２９における警告内容は、本実施例の作業者選択サーバ２００により作業者選択プログラム２１０を実行した結果に基づき格納される情報である。警告内容の詳細は後述する。
【００５０】
次に、図１２を参照して本実施例の作業者選択サーバ２００の機能について説明する。図１２は、作業者選択サーバの機能を説明する図である。
【００５１】
本実施例の作業者選択サーバ２００は、作業者選択プログラム２１０を実行することで後述する各部の機能を実現する。
【００５２】
本実施例の作業者選択サーバ２００は、入力受付部２１１、データ取得部２１２、カウンタ制御部２１３、評価点算出部２１４、スタッフ選択部２１５、出力部２１６を有する。
【００５３】
本実施例の入力受付部２１１は、例えば端末装置３００に表示された入力画面において入力されたデータの入力を受け付ける。入力画面の詳細は後述する。
【００５４】
データ取得部２１２は、各データベースから後述する処理を実行する際に必要となるデータを取得する。
【００５５】
本実施例のカウンタ制御部２１３は、作業者選択サーバ２００の例えばメモリ装置２５等に記憶装置に設けられたカウンタを制御する。
【００５６】
評価点算出部２１４は、施設スタッフによる評価に基づき現地スタッフの評価点を算出する。評価点算出部２１４の処理の詳細は後述する。
【００５７】
スタッフ選択部２１５は、評価点算出部２１４により算出された現地スタッフの評価点に基づき、採用候補となる現地スタッフを選択する。スタッフ選択部２１５の処理の詳細は後述する。
【００５８】
出力部２１６は、スタッフ選択部２１５による処理の結果及び結果に基づくメッセージ等を端末装置３００へ出力する。
【００５９】
以下に図１３を参照して本実施例の入力画面について説明する。図１３は、入力画面の一例を示す図である。
【００６０】
本実施例の作業者選択サーバ２００は、例えば現地スタッフの選択指示を受け付けると、図１３に示す入力画面１３１を端末装置３００のディスプレイ等に表示させる。
【００６１】
本実施例の入力画面１３１は、例えば巡回健診を実施する日時、会場、巡回健診を実施する班と、現地スタッフの採用人数について入力が完了した状態を示している。
【００６２】
入力画面１３１には、巡回健診を実施する日時、会場、巡回健診を実施する班に関する情報１３２と、班に関する情報１３３が表示されている。また本実施例の入力画面１３１では、入力された現地スタッフの採用人数に関する情報１３４が表示されている。
【００６３】
本実施例の作業者選択サーバ２００は、例えば情報１３２が入力されると、班スタッフ管理データベース２２３を参照し、情報１３３を入力画面１３１に表示させても良い。
【００６４】
また本実施例の作業者選択サーバ２００は、入力画面１３１において入力された情報１３２と、情報１３４が作業者選択サーバ２００に送信されると、作業者選択プログラム２１０の実行を開始しても良い。作業者選択サーバ２００に送信された情報１３２と情報１３４は、巡回スタッフ計画データベース２２７に格納される。
【００６５】
以下に図１４及び図１５を参照して本実施例の作業者選択プログラム２１０が実行された際の作業者選択サーバ２００の動作を説明する。図１４は、作業者選択サーバの動作を説明する第一のフローチャートである。
【００６６】
本実施例の作業者選択サーバ２００は、現地スタッフの選択指示を受けると、作業者選択プログラム２１０を起動させる（ステップＳ１４０１）。
【００６７】
続いて作業者選択サーバ２００は、データ取得部２１２により、所定の記憶領域２３０に格納された評価点閾値を取得する（ステップＳ１４０２）。
【００６８】
続いてデータ取得部２１２は、巡回スタッフ計画データベース２２７を参照し、健診予定日及び予定時刻順にレコードを１件ずつ取得する（ステップＳ１４０３）。
【００６９】
続いてデータ取得部２１２は、巡回スタッフ計画データベース２２７の全てのレコードを取得したか否かを判断する（ステップＳ１４０４）。ステップＳ１４０４において全てのレコードを取得した場合、作業者選択サーバ２００は、出力部２１６により巡回計画データベース２２９を参照し、処理結果の確認画面を端末装置３００に表示させ（ステップＳ１４０５）、処理を終了する。尚確認画面は、作業者選択サーバ２００の出力装置２２に表示させても良い。確認画面の詳細は後述する。
【００７０】
ステップＳ１４０４において全てのレコードを取得していない場合、作業者選択サーバ２００は、ステップＳ１４０４で取得したレコードに対して、現地スタッフの選択を行う。具体的には作業者選択サーバ２００は、ステップＳ１４０３で取得したレコードに含まれる現地スタッフの職種毎に現地スタッフの選択を行う。
【００７１】
ステップＳ１４０４で全てのレコードを取得していない場合、データ取得部２１２は、取得したレコードに含まれる現地スタッフの職種の採用人数を順次取得し、職種毎の採用人数が１以上か否かを判断する（ステップＳ１４０６）。本実施例では、例えばレコード９１に含まれる現地スタッフの職種のうち、医師から順に、看護師、保健師、レントゲン技師、事務員と採用人数を取得しても良い。ステップＳ１４０６において採用人数が１以上でない場合、後述するステップＳ１５０８へ進む。
【００７２】
ステップＳ１４０６において採用人数が１以上である場合、データ取得部２１２は、会場データベース２２４を参照し、取得したレコードに含まれる会場コードに対応する会場の情報を取得する（ステップＳ１４０７）。
【００７３】
続いて作業者選択サーバ２００は、カウンタ制御部２１３により、作業者選択サーバ２００のメモリ装置２５等に設けられた、選択された現地スタッフの人数の値が格納された現地スタッフカウンタをクリアする（ステップＳ１４０８）。すなわちカウンタ制御部２１３は、前回の現地スタッフの選択において選択された人数を０に戻す。
【００７４】
続いてデータ取得部２１２は、現地スタッフデータベース２２６を参照し、ステップＳ１４０７で取得した会場の情報に含まれる地区コードを含む現地スタッフデータベース２２６のレコードを１件取得する（ステップＳ１４０９）。すなわちデータ取得部２１２は、現地スタッフデータベース２２６から、会場がある地区で勤務可能な現地スタッフの情報を取得する。
【００７５】
続いてデータ取得部２１２は、ステップＳ１４０９において取得したレコードが存在するか否かを判断する（ステップＳ１４１０）。ステップＳ１４１０において取得したレコードが存在しない場合、すなわち会場がある地区で勤務可能な現地スタッフが存在しない場合、後述するステップＳ１５０１へ進む。
【００７６】
ステップＳ１４１０において取得したレコードが存在する場合、すなわち会場がある地区で勤務可能な現地スタッフが存在する場合、カウンタ制御部２１３は、現地スタッフカウンタの値に１を足す（ステップＳ１４１１）。続いてデータ取得部２１２は、班データベース２２２を参照し、ステップＳ１４０３で取得したレコードに含まれる健診予定日が有効期間に含まれ、且つ班コードが一致する班を特定する。そしてデータ取得部２１２は、特定された班の班コードに対応する班スタッフ管理データベース２２３を参照し、特定された班に属する施設スタッフの情報を取得する（ステップＳ１４１２）。
【００７７】
続いてデータ取得部２１２は、スタッフ評価データベース２２８を参照し、ステップＳ１４０９で取得したレコードに含まれる現地スタッフコードと、ステップＳ１４１２で取得した情報に含まれる施設スタッフコードとを含むレコードを取得する（ステップＳ１４１３）。
【００７８】
続いて評価点算出部２１４は、ステップＳ１４１３で取得したレコードに含まれる評価点の平均値を算出する（ステップＳ１４１４）。すなわちステップＳ１４１４では、施設スタッフが現地スタッフに対して付与した評価点の平均値を算出する。
【００７９】
このように本実施例では、今回巡回健診を行う班に含まれる施設スタッフによる、現地スタッフの評価を用いることで、健診作業における施設スタッフと現地スタッフとの相性を考慮した人材配置を行うことができる。
【００８０】
続いてデータ取得部２１２は、ステップＳ１４０２で取得した評価点閾値よりも評価点の平均値が低い施設スタッフコードを取得する（ステップＳ１４１５）。取得された施設スタッフコードは、例えばメモリ装置２５等に一時的に保持される。
【００８１】
続いてカウンタ制御部２１３は、平均値が評価点閾値より低い施設スタッフコードの数を、平均値が評価点閾値以下の施設スタッフの人数をカウントする閾値以下カウンタに格納する（ステップＳ１４１６）。尚閾値以下カウンタは、作業者選択サーバ２００のメモリ装置２５等に予め設けられている。続いてデータ取得部２１２は、ステップＳ１４０９へ戻り、次に該当する現地スタッフデータベース２２６のレコードを取得する。
【００８２】
本実施例では、ステップＳ１４０９からステップＳ１４１６の処理により、巡回健診を実施する会場で健診作業を行う施設スタッフのうち、この会場に勤務可能な現地スタッフに対して低い評価点を付けた施設スタッフと、その人数が特定される。
【００８３】
図１５は、作業者選択サーバの動作を説明する第二のフローチャートである。
【００８４】
図１５で説明する処理は、図１４のステップＳ１４１０において会場がある地区で勤務可能な現地スタッフが存在しないと判断された場合の処理である。
【００８５】
ステップＳ１４１０に続いてカウンタ制御部２１３は、現地スタッフカウンタの値が１以上か否かを判断する（ステップＳ１５０１）。ステップＳ１５０１において現地スタッフカウンタが１未満の場合、巡回健診が実施される会場で勤務可能な現地スタッフが存在しないことを示す。したがって作業者選択サーバ２００は、後述するステップＳ１５１０へ進む。
【００８６】
ステップＳ１５０１において現地スタッフカウンタの値か１以上である場合、評価点算出部２１４は、ステップＳ１４０９において取得された現地スタッフコードを、評価点の平均値が高い順に並べる（ステップＳ１５０２）。尚ここでは、現地スタッフカウンタの数は、巡回健診が実施される会場で勤務可能な現地スタッフの数である。
【００８７】
続いてスタッフ選択部２１５は、現地スタッフのうち最も高い評価点の平均値が評価点閾値以上である否かを判断する（ステップＳ１５０３）。ステップＳ１５０３において最も高い評価点の平均値が評価点閾値未満であった場合、作業者選択サーバ２００は後述するステップＳ１５１１へ進む。
【００８８】
ステップＳ１５０３において最も高い平均値が評価点閾値以上であった場合、スタッフ選択部２１５は、この現地スタッフに対して評価点閾値より低い評価点を付けた施設スタッフの人数が０人であるか否かを判断する（ステップＳ１５０４）。すなわちスタッフ選択部２１５は、閾値以下カウンタの値が０であるか否かを判断する。ステップＳ１５０４において該当する施設スタッフが０人でない場合、作業者選択サーバ２００は後述するステップＳ１５１２へ進む。
【００８９】
ステップＳ１５０４において該当する施設スタッフの人数が０人であった場合、スタッフ選択部２１５は、巡回計画データベース２２９のスタッフコードにこの現地スタッフコードを書き込む（ステップＳ１５０５）。すなわちスタッフ選択部２１５は、ステップＳ１５０２において評価点の平均値が最も高かった現地スタッフコードを巡回計画データベース２２９のスタッフコードに書き込む。
【００９０】
以上のように本実施例では、今回巡回健診を実施する会場で、実際に健診作業を行う施設スタッフによる現地スタッフの評価を用いて、採用する現地スタッフを決めることができる。したがって本実施例では、健診作業を行う施設スタッフと現地スタッフとの相性を考慮した人材配置を行うことができる。
【００９１】
続いてカウンタ制御部２１３は、現地スタッフカウンタの値と、ステップＳ１４０６で選択した現地スタッフの職種と対応する採用人数と、から１を減算する（ステップＳ１５０６）。
【００９２】
続いてデータ取得部２１２は、１を減算した現地スタッフの採用人数が１以上か否かを判断する（ステップＳ１５０７）。ステップＳ１５０７において採用人数が１以上でない場合、スタッフ選択部２１５は、現地スタッフの全ての職種について、処理が終了したか否かを判断する（ステップＳ１５０８）。
【００９３】
ステップＳ１５０８において処理が終了した場合、ステップＳ１４０３へ進む。ステップＳ１５０８において処理が終了していない場合、ステップＳ１４０６へ進み、次の職種の採用人数が１以上か否かを判断する。
【００９４】
ステップＳ１５０７において採用人数が１以上である場合、カウンタ制御部２１３は、現地スタッフカウンタの値が１以上か否かを判断する（ステップＳ１５０９）。ステップＳ１５０９において現地スタッフカウンタの値が１以上の場合、スタッフ選択部２１５はステップＳ１５０３へ進む。ステップＳ１５０９において現地スタッフカウンタの値が１未満の場合、スタッフ選択部２１５は後述するステップＳ１５１０へ進む。
【００９５】
スタッフ選択部２１５は、このとき現地スタッフコードと対応する警告内容欄に、この現地スタッフの評価点平均値を書き込んでも良い。
【００９６】
ステップＳ１５０１において現地スタッフカウンタの値が１未満であった場合、スタッフ選択部２１５は、選択可能な現地スタッフが存在しないことを示すメッセージを巡回計画データベース２２９と対応付けて保持し（ステップＳ１５１０）、ステップＳ１５０６へ進む。
【００９７】
ステップＳ１５０３において平均値が評価点閾値以上の現地スタッフがいない場合、スタッフ選択部２１５は、巡回計画データベース２２９に平均値が最も高い現地スタッフコードを書き込む。そしてスタッフ選択部２１５は、書き込んだ現地スタッフコードと対応する警告内容欄に、平均値が評価点閾値以上である現地スタッフが存在しなかった旨のメッセージを書き込み（ステップＳ１５１１）、ステップＳ１５０６へ進む。
【００９８】
ステップＳ１５０４において評価点閾値より評価点をつけた施設スタッフの人数が０人でない場合、スタッフ選択部２１５は、この現地スタッフコードを巡回計画データベース２２９に書き込む。そしてスタッフ選択部２１５は、書き込んだ現地スタッフコードと対応する警告内容欄に、平均値が評価点閾値以上であるが評価点閾値より低い評価点をつけた施設スタッフが存在したことを示すメッセージを書き込む（ステップＳ１５１２）。
【００９９】
続いてスタッフ選択部２１５は、ステップＳ１５１２で巡回計画データベース２２９に書き込まれた現地スタッフコードと対応する現地スタッフに評価点閾値より低い評価点を付けた施設スタッフを特定する。そしてデータ取得部２１２は、特定された施設スタッフと同職種で、且つ該当する現地スタッフに対して付与された最も高い評価点を取得する（ステップＳ１５１３）。ステップＳ１５１３の処理では、スタッフ評価データベース２２８と施設スタッフデータベース２２１が参照される。
【０１００】
続いてスタッフ選択部２１５は、ステップＳ１５１３で取得した評価点が評価点閾値以上であるか否かを判断する（ステップＳ１５１４）。ステップＳ１５１４において評価点が評価点閾値未満の場合、スタッフ選択部２１５は、現地スタッフに評価点閾値より低い評価点を付けた施設スタッフと入れ替えることが可能な施設スタッフが存在しないことを示すメッセージを巡回計画データベース２２９に書き込む（ステップＳ１５１５）。このメッセージは、ステップＳ１５１２で巡回計画データベース２２９に書き込まれた現地スタッフコードと対応する警告内容欄に書き込まれる。スタッフ選択部２１５は、ステップＳ１５１５に続いてステップＳ１５０６へ進む。
【０１０１】
ステップＳ１５１４において評価点が評価点閾値以上の場合、スタッフ選択部２１５は、以下のメッセージをステップＳ１５１２で巡回計画データベース２２９に書き込まれた現地スタッフコードと対応する警告内容欄に書き込む（ステップＳ１５１６）。ステップＳ１５１６で書き込まれるメッセージとは、現地スタッフに評価点閾値より低い評価点を付けた施設スタッフを、ステップＳ１５１３で現地スタッフに最も高い評価点を付けた施設スタッフと入れ替えることで、現地スタッフの評価点の平均値が評価点閾値を上回ることを示すものである。スタッフ選択部２１５は、ステップＳ１５１６に続いてステップＳ１５０６へ進む。
【０１０２】
以下に、例えば図１３に示す入力画面１３１の情報１３２と情報１３４が入力された場合の本実施例の作業者選択サーバ２００の動作について具体的に説明する。
【０１０３】
本実施例の作業者選択サーバ２００は、入力受付部２１１により現地スタッフの選択指示を受け付けると、データ取得部２１２により記憶領域２３０から評価点閾値を取得する。以下の説明では、評価点閾値は７点とした。
【０１０４】
次にデータ取得部２１２は、巡回スタッフ計画データベース２２７から１つ目のレコード９１を取得する。
【０１０５】
レコード９１では、健診予定日が２０１２／４／１、予定時刻が９：００〜１２：００である。巡回健診が実施される会場は、会場コードＡ００１０１の○×公民会であり、健診作業を行うのはＡ班であり、選択すべき現地スタッフは看護師が１名である。
【０１０６】
続いて作業者選択サーバ２００は、現地スタッフの職種を例えば医師、看護師、保健師、レントゲン技師、事務員の順に、採用する現地スタッフを選択する。
【０１０７】
レコード９１において、職種が医師の現地スタッフの人数が０である。よって作業者選択サーバ２００は、ステップＳ１５０８へ進み、次の職種である看護師の現地スタッフの人数が０より大きいか判断する。
【０１０８】
レコード９１では、看護師の人数は１である。よってデータ取得部２１２は、会場データベース２２４を参照し、レコード９１に含まれる会場コードＡ００１０１と対応する地区コードＡを取得する。続いてカウンタ制御部２１３は、現地スタッフカウンタの値を０とする。
【０１０９】
次にデータ取得部２１２は、現地スタッフデータベース２２６を参照し、地区コードＡを含むレコードを取得する。図８に示す現地スタッフデータベース２２６では、地区コードＡを含むレコード８１が存在するため、レコード８１を取得する。続いてカウンタ制御部２１３は、現地スタッフカウンタの値を１とする。
【０１１０】
次にデータ取得部２１２は、レコード９１に含まれる健診予定日で班データベース２２２を検索し、有効期間に健診予定日が含まれる班の班コードを取得する。データ取得部２１２は、班データベース２２２においてコードＡ０１の有効期間は２０１２／４／１〜２０１２／４／３０までであり、レコード９１の健診予定日は、２０１２／４／１であるから、班コードＡ０１を取得する。
【０１１１】
次にデータ取得部２１２は、班スタッフ管理データベース２２３を参照し、班コードＡ０１と対応する施設スタッフコードを取得する。班スタッフ管理データベース２２３において班コードＡ０１と対応する施設スタッフコードは、０００１、０００２、０００３、０００４である。
【０１１２】
続いて評価点算出部２１４は、スタッフ評価データベース２２８から、レコード８１に含まれる現地スタッフコードと、班コードＡ０１と対応するそれぞれの施設スタッフコードの両方を含むレコードを取得する。
【０１１３】
レコード８１に含まれる現地スタッフレコードはＧ０１である。よってデータ取得部２１２は、スタッフ評価データベース２２８において、現地スタッフコードＧ０１と施設スタッフコード０００１とを含むレコード１０１を取得する。同様にデータ取得部２１２は、レコード１０２、１０３、１０４を取得する。
【０１１４】
そして評価点算出部２１４は、取得したレコード１０１、１０２、１０３、１０４に含まれる評価点の平均値を算出する。レコード１０１に含まれる評価点は７．５であり、レコード１０２に含まれる評価点は４．０であり、レコード１０３に含まれる評価点は８．０であり、レコード１０４に含まれる評価点は９．０である。よって現地スタッフコードＧ０１の現地スタッフに対する班コードＡ０１の班の施設スタッフの評価点の平均値は、７．１２５である。
【０１１５】
次にスタッフ選択部２１５は、レコード１０１、１０２、１０３、１０４において、評価点が評価点閾値より低いレコードに含まれる施設スタッフコードを保持する。ここでは、レコード１０２に含まれる評価点が、評価点閾値７．０以下である。よってスタッフ選択部２１５は、レコード１０２に含まれる施設スタッフコード０００２を保持する。またカウンタ制御部２１３は、閾値以下カウンタの値を１とする。
【０１１６】
現地スタッフデータベース２２６において、地区コードＡを含むレコードはレコード８１のみであるから、作業者選択サーバ２００は図１５のステップＳ１５０１へ進む。
【０１１７】
スタッフ選択部２１５は、現地スタッフカウンタの値が１以上であるから、平均値が高い現地スタッフ順に並べる。ここではデータ取得部２１２が取得した現地スタッフのレコードはレコード８１のみである。
【０１１８】
次にスタッフ選択部２１５は、現地スタッフコードＧ０１の評価点の平均値が評価点閾値以上であるか否か判断する。現地スタッフコードＧ０１の評価点の平均値は７．１２５であり、評価点閾値は７．０であるから、平均値は評価点閾値以上である。
【０１１９】
次にスタッフ選択部２１５は、閾値以下カウンタの値が０か否かを判断する。すなわちスタッフ選択部は、班コードＡ０１の施設スタッフにおいて、現地スタッフコードＧ０１の現地スタッフに対して評価点閾値以下の評価点を付けた施設スタッフが存在するか否か判断する。
【０１２０】
スタッフ評価データベース２２８から取得したレコードによれば、レコード１０２に含まれる現地スタッフコードＧ０１の評価点は評価点閾値以下の４．０である。
【０１２１】
よってスタッフ選択部２１５は、巡回計画データベース２２９に現地スタッフコードＧ０１を書き込み、対応する警告内容欄に、評価点閾値以下の評価点をつけた施設スタッフが存在することを示すメッセージを書き込む。
【０１２２】
次にスタッフ選択部２１５は、施設スタッフデータベース２２１を参照し、評価点閾値以下の点数を付けた施設スタッフと同職種で且つ現地スタッフコードＧ０１の現地スタッフに評価点閾値以上の評価点を付けている施設スタッフを検索する。
【０１２３】
班コードＡ０１の班において、評価点閾値以下の評価点を付けた施設スタッフは、施設スタッフコード０００２の施設スタッフである。この施設スタッフの職種は看護師である。施設スタッフデータベース２２１において、職種が看護師の施設スタッフコードは、０００５、０００６である。
【０１２４】
よってデータ取得部２１２は、スタッフ評価データベース２２８を参照し、施設スタッフコード０００５、０００６と現地スタッフコードＧ０１を含むレコードを取得する。具体的にはデータ取得部２１２は、レコード１０５、レコード１０６を取得し、各レコードの現地スタッフコードＧ０１の評価点を取得する。
【０１２５】
レコード１０５に含まれる現地スタッフコードＧ０１の評価点は６．０であり、レコード１０６に含まれる現地スタッフコードＧ０１の評価点は９．０である。スタッフ選択部２１５は、それぞれの評価点が評価点閾値以上であるか否かを判断する。この場合レコード１０６に含まれる現地スタッフコードＧ０１の評価点が評価点閾値以上である。
【０１２６】
よって施設スタッフコード０００２の施設スタッフと、レコード１０６に含まれる施設スタッフコード０００６の施設スタッフを入れ替えれば、平均値が評価点閾値以上になる。そこでスタッフ選択部２１５は、巡回計画データベース２２９の現地スタッフコードＧ０１と対応する警告内容欄に、施設スタッフコード０００２を施設スタッフコード０００６に入れ替えれば平均値が評価点閾値以上となること通知するメッセージを書き込む。
【０１２７】
そして作業者選択サーバ２００は、次の職種の現地スタッフの選択を行う。作業者選択サーバ２００は、全ての職種について、現地スタッフの選択を行った後に、巡回計画データベース２２９の警告内容欄に書き込まれたメッセージを含む確認画面を端末装置３００又は作業者選択サーバ２００のディスプレイ等に表示させる。
【０１２８】
以下に、確認画面の例を示す。図１６は、確認画面の例を示す第一の図である。
【０１２９】
図１６に示す確認画面１６１は、図１５のステップＳ１５０５において巡回計画データベース２２９に書き込まれたメッセージが表示された例である。
【０１３０】
確認画面１６１では、職種が看護師で、且つ評価点の平均値が評価点閾値である７．０以上である現地スタッフが存在することを示すメッセージが表示されている。
【０１３１】
図１７は、確認画面の例を示す第二の図である。
【０１３２】
図１７に示す確認画面１７１は、図１５のステップＳ１５１０において巡回計画データベース２２９に書き込まれたメッセージが表示された例である。
【０１３３】
確認画面１７１では、巡回健診が実施される会場がある地区で勤務可能な現地スタッフが存在しないことを示すメッセージが表示されている。
【０１３４】
図１８は、確認画面の例を示す第三の図である。
【０１３５】
図１８に示す確認画面１８１は、図１５のステップＳ１５１１において巡回計画データベース２２９に書き込まれたメッセージが表示された例である。
【０１３６】
確認画面１８１では、会場がある地域で勤務可能な現地スタッフは存在するが、評価点の平均値が評価点閾値に達していないことを示すメッセージが表示されている。
【０１３７】
図１９は、確認画面の例を示す第四の図である。
【０１３８】
図１９に示す確認画面１９１は、図１５のステップＳ１５１６において巡回計画データベース２２９に書き込まれたメッセージが表示された例である。
【０１３９】
確認画面１９１では、現地スタッフ△△ｄ子に対した低い評価点を付けている施設スタッフ○○Ｄ子を、△△ｄ子に高い評価点を付けた○○Ｈ子に入れ替えることで、△△ｄ子の評価点の平均値が評価点閾値を超えることを示すメッセージが表示されている。
【０１４０】
図２０は、確認画面の例を示す第五の図である。
【０１４１】
図２０に示す確認画面２０１は、図１５のステップＳ１５１５において巡回計画データベース２２９に書き込まれたメッセージが表示された例である。
【０１４２】
確認画面２０１では、現地スタッフ△△ｄ子に対した低い評価点を付けている施設スタッフ○○Ｄ子を、他の施設スタッフと入れ替えても、△△ｄ子の評価点の平均値が評価点閾値以下となることを示すメッセージが表示されている。
【０１４３】
以上のように本実施例では、巡回健診が実施される会場において、勤務可能な現地スタッフが存在する場合、この現地スタッフに対する施設スタッフの評価に基づき、健診作業を実施する施設スタッフを選択する。具体的には本実施例の作業者選択サーバ２００は、施設スタッフによる現地スタッフの評価点の平均値が評価点閾値より高い施設スタッフを実際に健診作業を行う施設スタッフに選択する。
【０１４４】
本実施例では、現地スタッフを高く評価している施設スタッフを、現地スタッフと協働させることで、両者における人間関係を良好なものにし、健診作業を円滑に行わせることができる。
【０１４５】
開示の技術では、以下に記載する付記のような形態が考えられる。
（付記１）
第１のカテゴリに属する作業者のいずれかと第２のカテゴリに属する作業者のいずれかとにより協働して行われる健診作業の作業者選択方法であって、
ある健診作業を協働して行う作業者群を決定する場合に、前記第１のカテゴリに属する第１の作業者が選択されると、選択された該第１の作業者が入力した第２のカテゴリに属する作業者の評価結果を、前記第１のカテゴリに属する作業者による前記第２のカテゴリに属する作業者についての評価結果が記憶された記憶部から抽出し、
前記抽出した評価結果の内、評価結果の高い前記第２のカテゴリに属する作業者を前記ある健診作業を協働して行う作業者の候補として出力する制御を行う
ことを特徴とする作業者選択方法。
（付記２）
協働して行われる健診作業の作業者選択方法であって、
第１のカテゴリに属する第１の作業者から、該第１の作業者と協働して健診作業を行う作業者として選択された、第２のカテゴリに属する複数の作業者のそれぞれについての、作業に関する評価の入力を受け付け、
入力された該複数の作業者のそれぞれについての作業に関する評価の結果を記憶部に記憶し、
ある健診作業の作業者として前記第１の作業者が選択される場合に、該ある健診作業を協働して行う他の健診作業者の選択制御において選択された前記他の健診作業者に対する、該ある健診作業の作業者として選択された前記第１の作業者による評価結果が示す指標値に基づき、前記第１の作業者を変更することを特徴とする作業者選択方法。
（付記３）
前記選択された前記他の健診作業者に対する評価結果が示す指標値が所定閾値よりも低い作業者が前記第１の作業者に含まれるとき、
前記第１のカテゴリに属し、且つ前記第１の作業者に含まれない作業者のうち、前記選択された前記他の健診作業者に対する評価結果を示す指標値が最も高い作業者を、前記指標値が前記所定閾値よりも低い作業者と入れ替える候補に選択することを特徴とする付記２記載の作業者選択方法。
（付記４）
前記指標値が前記所定閾値よりも低い作業者と、前記入れ替える候補に選択された作業者とを入れ替え、
入れ替え後の前記第１の作業者による前記他の健診作業者に対する評価結果が示す指標値を算出し、
算出された前記評価結果が示す指標値が前記所定閾値以上であったとき、前記入れ替える候補に選択された作業者の情報と、作業者の入れ替えにより前記評価結果が示す指標値が前記所定閾値以上となることを示す情報と、を出力することを特徴とする付記３記載の作業者選択方法。
（付記５）
算出された前記評価結果が示す指標値が前記所定閾値未満であったとき、
前記入れ替える候補に選択された作業者の情報と、作業者の入れ替え後も前記評価結果を示す値が前記所定閾値未満であることを示す情報と、を出力することを特徴とする付記４記載の作業者選択方法。
（付記６）
前記指標値は、
過去の健診作業において前記第１の作業者が前記他の健診作業者に対して付与した評価点の平均値であることを特徴とする付記１乃至５の何れか一項に記載の作業者選択方法。
（付記７）
前記入れ替える候補に選択される作業者の職種は、
前他の健診作業者に対して前記所定閾値より低い評価点を付けた作業者の職種と同一であることを特徴とする付記３乃至６の何れか一項に記載の作業員選択方法。
（付記８）
第１のカテゴリに属する第１の作業者から、該第１の作業者と協働して健診作業を行う作業者として選択された、第２のカテゴリに属する複数の作業者のそれぞれについての、作業に関する評価の入力を受け付ける処理と、
入力された該複数の作業者のそれぞれについての作業に関する評価の結果を記憶部に記憶する処理と、
ある健診作業の作業者として前記第１の作業者が選択される場合に、前記記憶部に記憶された該第１の作業者による前記複数の作業者のそれぞれの評価結果が示す指標値を用いて該ある健診作業を協働して行う他の健診作業者の選択制御を行う処理と、をコンピュータに実行させることを特徴とする作業者選択プログラム。
（付記９）
第１のカテゴリに属する第１の作業者から、該第１の作業者と協働して健診作業を行う作業者として選択された、第２のカテゴリに属する複数の作業者のそれぞれについての、作業に関する評価の入力を受け付ける受付部と、
入力された該複数の作業者のそれぞれについての作業に関する評価の結果を記憶部に記憶する記憶部と、
ある健診作業の作業者として前記第１の作業者が選択される場合に、前記記憶部に記憶された該第１の作業者による前記複数の作業者のそれぞれの評価結果が示す指標値を用いて該ある健診作業を協働して行う他の健診作業者の選択制御を行う選択部と、を有する作業者選択装置。
（付記１０）
ある健診作業を協働して行う作業者群を決定する場合に、第１のカテゴリに属する第１の作業者が選択されると、選択された該第１の作業者が入力した第２のカテゴリに属する作業者の評価結果を、前記第１のカテゴリに属する作業者による前記第２のカテゴリに属する作業者についての評価結果が記憶された記憶部から抽出する処理と、
前記抽出した評価結果の内、評価結果の高い前記第２のカテゴリに属する作業者を前記ある健診作業を協働して行う作業者の候補として出力する制御を行う処理と、をコンピュータに実行させることを特徴とする作業者選択プログラム。
（付記１１）
ある健診作業を協働して行う作業者群を決定する場合に、第１のカテゴリに属する第１の作業者が選択されると、選択された該第１の作業者が入力した第２のカテゴリに属する作業者の評価結果を、前記第１のカテゴリに属する作業者による前記第２のカテゴリに属する作業者についての評価結果が記憶された記憶部から抽出する抽出部と、
前記抽出した評価結果の内、評価結果の高い前記第２のカテゴリに属する作業者を前記ある健診作業を協働して行う作業者の候補として出力する制御を行う制御部と、
を有することを特徴とする作業者選択装置。
【０１４６】
本発明は、具体的に開示された実施例に限定されるものではなく、特許請求の範囲から
逸脱することなく、種々の変形や変更が可能である。
【符号の説明】
【０１４７】
１００  作業者選択システム
２００  作業者選択サーバ
２１０  作業者選択プログラム
２１１  入力受付部
２１２  データ取得部  
２１３  カウンタ制御部
２１４  評価点算出部
２１５  スタッフ選択部
２２１  施設スタッフデータベース
２２２  班データベース
２２３  班スタッフ管理データベース
２２４  会場データベース
２２５  地区データベース
２２６  現地スタッフデータベース
２２７  巡回スタッフ計画データベース
２２８  スタッフ評価データベース
２２９  巡回計画データベース
３００  端末装置
【図１】
2015102907.tif 000003
【図２】
2015102907.tif 000004
【図３】
2015102907.tif 000005
【図４】
2015102907.tif 000006
【図５】
2015102907.tif 000007
【図６】
2015102907.tif 000008
【図７】
2015102907.tif 000009
【図８】
2015102907.tif 000010
【図９】
2015102907.tif 000011
【図１０】
2015102907.tif 000012
【図１１】
2015102907.tif 000013
【図１２】
2015102907.tif 000014
【図１３】
2015102907.tif 000015
【図１４】
2015102907.tif 000016
【図１５】
2015102907.tif 000017
【図１６】
2015102907.tif 000018
【図１７】
2015102907.tif 000019
【図１８】
2015102907.tif 000020
【図１９】
2015102907.tif 000021
【図２０】
2015102907.tif 000022